(57)【要約】【課題】薄片パッケージを弾性力をもって定位させ、且つ、固持アームの強度を高めた信頼性の高い電気コネクタを提供する。【解決手段】本発明の電気コネクタは、絶縁本体と、前記絶縁本体に収容された複数の導電端子とを含み、前記絶縁本体は大体正方形にされ、ベースと前記ベースの周囲の複数の側壁とを有し、前記ベースにアレイ状に並べられた複数の収容溝が設けられ、前記端子がその中に収容され、収容溝の隣の両側壁の内側に、両端が側壁と接続したアークアームが設けられ、アークアームと対応する側壁との間に伸縮スペースを有し、前記アームは薄片パッケージを完全に定位させ、且つ、弾性力によって薄片パッケージを絶縁本体の側壁の中に固持させ、端子と電気的に接続させる。【選択図】図２
2005056812.tif 000002
【特許請求の範囲】
【請求項１】
薄片パッケージを回路基板に電気的に接続するために使われる電気コネクタであって、
大体正方形をしていて、ベースと前記ベースを囲む側壁とを有し、前記ベースに端子を収容する複数の収容溝が設けられている絶縁本体と、
前記絶縁本体の中に収容されている複数の端子と、を備え、
収容溝の隣の両側壁の内側に両端が側壁と接続した弾性を有するアークアームが設けられ、前記アークアームと対応する側壁との間に伸縮スペースを有することを特徴とする電気コネクタ。
【請求項２】
前記絶縁本体のアークアームには斜面状の傾斜部が設けられていることを特徴とする請求項１に記載の電気コネクタ。
【請求項３】
前記弾性を有するアークアームのアークの頂部には薄片パッケージと当接する当接部が設けられていることを特徴とする請求項２に記載の電気コネクタ。
【請求項４】
前記絶縁本体は回路基板と相対する底面に複数の定位柱が設けられていることを特徴とする請求項３に記載の電気コネクタ。
【請求項５】
前記端子は両弾性部を有し、且つ、前記端子は薄片パッケージ及び回路基板に弾性力をもって当接することを特徴とする請求項４に記載の電気コネクタ。
【請求項６】
前記電気コネクタに搭載された薄片パッケージはＬＧＡ薄片パッケージであることを特徴とする請求項５に記載の電気コネクタ。
【請求項７】
薄片パッケージを回路基板に電気的に接続するために使われる電気コネクタであって、
大体正方形をしていて、ベースと前記ベースを囲む側壁とを有し、前記ベースに端子を収容する複数の収容溝が設けられている絶縁本体と、
前記絶縁本体の中に収容される複数の端子と、を備え、
少なくとも一つの側壁の内側に少なくとも二箇所が側壁と接続した弾性を有するアームが設けられ、前記アームと対応する側壁との間に伸縮スペースを有することを特徴とする電気コネクタ。
【請求項８】
前記絶縁本体のアームには斜面状の傾斜部が設けられていることを特徴とする請求項７に記載の電気コネクタ。
【請求項９】
前記アームは外に向けて突出したアーク形状をしていて、前記アーク形状の頂部に薄片パッケージと当接する当接部が設けられていることを特徴とする請求項８に記載の電気コネクタ。
【請求項１０】
前記絶縁本体は回路基板と相対する底面に複数の定位柱が設けられていることを特徴とする請求項９に記載の電気コネクタ。
【請求項１１】
前記電気コネクタに搭載される薄片パッケージはＬＧＡ薄片パッケージであることを特徴とする請求項１０に記載の電気コネクタ。
【請求項１２】
ＬＧＡ薄片パッケージをその中に搭載するために使われる電気コネクタであって、
ＬＧＡ薄片パッケージを収容する収容スペースに囲まれる複数の側壁を有し、少なくとも側壁に収容スペースに向けて突出した弾性を有するアームが設けられ、前記弾性を有するアームは側壁と接続し且つ仕切られる接続部が少なくとも二つある絶縁本体と、
絶縁本体の中に収容され、且つ、薄片パッケージに電気的に当接される導電端子と、を備えることを特徴とする電気コネクタ。
【請求項１３】
前記弾性のアームは外に向けて突出したアーク形状をしていて、前記アーク形状の両端がそれぞれ側壁に接続されていることを特徴とする請求項１２に記載の電気コネクタ。
【請求項１４】
前記アーク形状のアームと側壁との間に伸縮スペースを有し、アーク形状の頂部は薄片パッケージに当接される当接部であることを特徴とする請求項１３に記載の電気コネクタ。
【発明の詳細な説明】
【技術分野】
【０００１】
本発明は、電気コネクタに関し、特にＬＧＡ薄片パッケージを回路基板に電気的に接続する電気コネクタに関するものである。
【背景技術】
【０００２】
ＬＧＡ電気コネクタは薄片パッケージを回路基板に電気的に接続するために電子分野で広く使われている。図１を参照すると、この電気コネクタはふつう絶縁本体６を有し、前記絶縁本体６に複数の導電端子５を収容する複数の端子溝６０が設けられる。前記絶縁本体６は四つの側壁６１と、前記四つの側壁６１で囲まれ、薄片パッケージ７を収容する収容巣６３とを有し、端子収容溝６０は収容巣６３の中に設けられ且つ収容巣６３を貫通する。四つの側壁６１の一つに第一弾性アーム６１１が設けられ、前記第一弾性アーム６１１はぶら下がって設けられ、側壁６１の中に設けられる第一巣６１０の中で変形される。第二弾性アーム６１２は第一弾性アーム６１１に隣接するもう一つの側壁６１に設けられ、且つ、ぶら下がって設けられ、側壁６１の中に設けられる第二巣６２０の中で変形される。第一弾性アーム６１１と第二弾性アーム６１２に、薄片パッケージ７を導いて収容巣６３に挿入させる第一斜面６１１Ａと第二斜面６１２Ａがそれぞれ設けられ、薄片パッケージ７は、第一弾性アーム６１１と第二弾性アーム６１２が発生する正圧力によって収容巣６３に装着される。薄片パッケージ７が電気コネクタに取り付けられる時、薄片パッケージ７は、まず、第一、第二弾性アーム６１１、６１２の第一、第二斜面６１１Ａ、６１２Ａに押圧され、第一、第二弾性アーム６１１、６１２をそれぞれ第一、第二巣６１０、６２０の中で弾性変形させるとともに、側壁６１に接近する方向に移動させ、こうして、薄片パッケージ７が電気コネクタの収容巣６３の中に入れられ、薄片パッケージ７の導電スペーサー（図示せず）を導電端子５と当接させ、電気的に導通させる。類似する電気コネクタが特許文献１と特許文献２によって開示されている。
【０００３】
しかし、薄片パッケージ７が電気コネクタの収容巣６３の中に入れられた後も、薄片パッケージ７が第一、第二斜面６１１Ａ、６１２Ａに与える圧力はずっと存在するので、弾性アーム６１１、６１２は変形した状態にずっとさせられ、長い時間使われると、弾性アーム６１１、６１２は片側だけが側壁６１に接続され、弾性アーム６１１、６１２は片側に力を受けた状態にさせられ、強度が不足するので、弾性アーム６１１、６１２の側壁６１の接続した所が裂け、あるいはスライバーが出ることがある。また、材料が疲労して、弾性力が減少し、前記の現象によって、薄片パッケージ７を定位できないという問題と、薄片パッケージ７と回路基板の間の導通ができないという問題が発生する。前記ＬＧＡ電気コネクタは、主に各種の精密な装置に対応しており、その性能が器械の全体の性能に重要な影響を及ぼすので、高い信頼性が必要である。従って、本発明は、前記の欠点を克服するために新たな電気コネクタを提供する。
【特許文献１】米国特許第６１３２２２０号明細書
【特許文献２】米国特許第６１６４９７８号明細書
【発明の開示】
【発明が解決しようとする課題】
【０００４】
本発明は、薄片パッケージを弾性力をもって定位させ、且つ、固持アームの強度を高めさせる信頼性の高い電気コネクタを提供する。
【課題を解決するための手段】
【０００５】
本発明の電気コネクタは、絶縁本体と、前記絶縁本体に収容された複数の導電端子とを含み、前記絶縁本体は、大体正方形にされ、ベースと前記ベースの周囲の複数の側壁とを有し、前記ベースには、アレイ状に並べられた複数の収容溝が設けられ、前記端子がその中に収容され、収容溝の隣の両側壁の内側に、両端が側壁と接続したアークアームが設けられ、アークアームと対応する側壁との間に伸縮スペースを有し、前記アームは薄片パッケージを完全に定位させ、且つ、弾性力によって薄片パッケージを絶縁本体の側壁の中に固持させ、端子と電気的に接続させる。
【発明の効果】
【０００６】
従来の技術に比べると、本発明は以下の長所がある。前記アークアームは二箇所で薄片パッケージの圧力を受けるので、アームと絶縁本体の側壁が接続した所の強度が高められ、長い時間使われても、前記アームと側壁が接続した所が裂けたり、あるいはスライバーが出たりすることによって、薄片パッケージが定位できなかったり、薄片パッケージと導電端子の間の導通ができなかったりする問題が発生して、器械の全体の性能に影響するようなことを防止できる。また、前記アークアームの設置は良好な弾性がまだ保たれ、それで、ＬＧＡ薄片パッケージが固持される。
【発明を実施するための最良の形態】
【０００７】
図２と図３を参照すれば、本発明は、薄片パッケージ２を回路基板（図示せず）に電気的に接続する電気コネクタ９であって、前記電気コネクタ９は、絶縁本体１０と、前記絶縁本体１０に収容される複数の導電端子１１とを備える。
【０００８】
前記絶縁本体１０は正方形の板状の構成に形成され、ベース１３と前記ベース１３の周囲の四つの側壁１２を有し、四つの側壁１２とベース１３によって薄片パッケージ２を収容する収容スペース１５を形成し、その中、隣の両側壁１２にそれぞれ収容スペース１５に向けて突起した弾性を有したアークアーム１８が設けられ、前記アークアーム１８と側壁１２の間にアークアーム１８を伸縮させる伸縮スペース１６が形成される。アークアーム１８に側壁１２と接続した両接続部１８４が設けられ、すなわちアークアーム１８が二箇所で側壁と接続し、アークアーム１８の中央の所すなわちアーク形状の頂部に薄片パッケージ２と当接される当接部１８２が設けられ、前記当接部１８２は収容スペース１５の中に向けて凸状に伸びている。アークアーム１８には、収容スペース１５に向かって下向きに傾斜している斜面状の傾斜部１８１が設けられる。ベース１３には、行列状の複数の貫通する収容溝１１０が設けられ、導電端子１１がその中に収容される。絶縁本体１０と回路基板の接続した面に、おおよそ対角線の方向に沿って両定位柱１４が設けられ、前記両定位柱１４は回路基板に挿され、電気コネクタ９を回路基板に定位させる。
【０００９】
導電端子１１と接続する薄片パッケージ２及び導電スペーサーは全部ＬＧＡ形式であって、前記導電端子１１には弾性変形される二つの弾性当接部（図示せず）が設けられる。
【００１０】
薄片パッケージ２を取り付ける時には、薄片パッケージ２の両アークアーム１８から離れた一つの角端を傾斜して収容スペース１５内に入れ、薄片パッケージ２のもう一つの角端を押す。すると、薄片パッケージ２がアークアーム１８の弾性変形した弾性力によって収容スペース１５内に固持される。また、以下の方法も採用できる。すなわち、薄片パッケージ２を上から下に向けてアークアーム１８の傾斜部１８１によって導き、収容スペース１５内に滑らせ、アークアーム１８の弾性変形した弾性力によって収容スペース１５内に固持させる。
【００１１】
電気コネクタのアークアーム１８を側壁１２の両端と接続した構成の設置によって、どのような取り付け方法でもアークアーム１８が二つの点で力を受けるので、力を均一に受けることができ、アークアーム１８の接続部１８４が裂けたり、あるいはスライバーが出るなどの問題が発生しない。そして、薄片パッケージ２を完全に弾性力をもって定位させ、薄片パッケージ２と電気コネクタ９の導電端子１１との間の完全な導通を保証できる。また、アークアーム１８の強度が強められるので、長い時間使用されても、材料疲労で弾性力が減少して、しっかりと固持できないという問題は発生しにくい。
【００１２】
総じて、本発明の多数の特徴及び長所など、その構造及び機能が共に前述の記載により掲げられている。また前記の説明は、本発明に基づきなしうる細部の修正或は変更など、いずれも本発明の請求範囲に属するものとする。
【産業上の利用可能性】
【００１３】
本発明は、電気コネクタに関し、特にＬＧＡ薄片パッケージを回路基板に電気的に接続する電気コネクタに関するものである。
【図面の簡単な説明】
【００１４】
【図１】従来の電気コネクタと薄片パッケージの分解斜視図である。
【図２】本発明の電気コネクタと薄片パッケージの分解斜視図である。
【図３】本発明の電気コネクタと薄片パッケージの斜視図である。
【符号の説明】
【００１５】
２  薄片パッケージ
９  電気コネクタ
１０  絶縁本体
１１  導電端子
１２  側壁
１３  ベース
１４  定位柱
１５  収容スペース
１６  伸縮スペース
１８  アークアーム
１１０  収容溝
１８１  傾斜部
１８２  当接部
１８４  接続部
【図１】
2005056812.tif 000003
【図２】
2005056812.tif 000004
【図３】
2005056812.tif 000005